【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
ａ）耐切断性材料製の第一非金属ストランド、および
ｂ）非耐切断性材料製の第二非金属ストランド、からなる結合系であって；
前記第一ストランドと第二ストランドが、これらストランドの全長にそって間欠的な箇所で、空気によって互いに交絡され、これらストランドの少なくとも一方がマルチフィラメントのストランドである結合糸。
【請求項２】
前記第一ストランドおよび第二ストランドと、空気で交絡されたガラス繊維製第三ストランドをさらに含んでいる請求項１に記載の結合糸。
【請求項３】
前記第一ストランドが、超高分子量ポリエチレン、アラミド類および高強度液晶重合体類からなる群から選択された材料製である請求項１に記載の結合糸。
【請求項４】
前記第二ストランドが、ポリエステル、ナイロン、アセテート、レーヨンおよび綿からなる群から選択された材料製である請求項１に記載の結合糸。
【請求項５】
前記間欠的な箇所が、約０．１２５〜約１．０００インチの間隔で隔っている請求項１に記載の結合糸。
【請求項６】
前記第一ストランドおよび第二ストランドが各々、約７０〜約１２００デニールである請求項１に記載の結合糸。
【請求項７】
前記ガラス繊維が、約２００〜約２０００デニールである請求項２に記載の結合糸。
【請求項８】
ａ）耐切断性材料製の第一非金属ストランド、および
ｂ）ガラス繊維製の第二非金属ストランド、からなる結合糸であって；
前記第一ストランドと第二ストランドが、これらストランドの全長にそって間欠的な箇所で、空気によって互いに交絡され、これらストランドの少なくとも一方がマルチフィラメントのストランドである結合糸。
【請求項９】
前記第一ストランドが、超高分子量ポリエチレン、アラミド類および高強度液晶重合体類からなる群から選択された材料製である請求項８に記載の結合糸。
【請求項１０】
前記間欠的な箇所が、約０．１２５〜約１．０００インチの間隔で隔っている請求項８に記載の結合糸。
【請求項１１】
前記第一ストランドが各々、約７０〜約１２００デニールである請求項８に記載の結合糸。
【請求項１２】
前記ガラス繊維が、約２００〜約２０００デニールである請求項８に記載の結合糸。
【請求項１３】
ａ）ｉ）耐切断性材料製の第一非金属ストランド、および
ii）非耐切断性材料製の第二非金属ストランドを含み、そして
前記第一ストランドと第二ストランドが、これらストランドの全長にそって間欠的な箇所で、空気によって互いに交絡され、これらストランドの少なくとも一方がマルチフィラメントのストランドであるコア糸；ならびに
ｂ）前記コア糸のまわりに特定の方向に巻き付けられた第一カバー糸；
からなる耐切断性複合糸。
【請求項１４】
前記コア糸が、前記第一ストランドおよび第二ストランドに空気で交絡されたガラス繊維製の第三ストランドをさらに含んでいる請求項１３に記載の複合糸。
【請求項１５】
前記第一ストランドが、超高分子量ポリエチレン、アラミド類および高強度液晶重合体類からなる群から選択された材料製である請求項１３に記載の複合糸。
【請求項１６】
前記第二ストランドが、ポリエステル、ナイロン、アセテート、レーヨンおよび綿からなる群から選択された材料製である請求項１３に記載の複合糸。
【請求項１７】
前記第一ストランドと第二ストランドが各々、約７０〜約１２００デニールである請求項１３に記載の複合糸。
【請求項１８】
前記ガラス繊維が、約２００〜約２０００デニールである請求項１３に記載の複合糸。
【請求項１９】
前記第一カバー糸が、超高分子量ポリエチレン、アラミド類、高強度液晶重合体類、ポリエステル類、ナイロン、アセテート、レーヨン、綿、ポリオレフィン類およびガラス繊維からなる群から選択された材料製である請求項１３に記載の複合糸。
【請求項２０】
前記コア糸のまわりに、前記第一カバー糸と逆の方向に巻き付けられた第二カバー糸をさらに含んでいる請求項１３に記載の複合糸。
【請求項２１】
前記第二カバー糸が、超高分子量ポリエチレン、アラミド類、高強度液晶重合体類、ポリエステル類、ナイロン、アセテート、レーヨン、綿、ポリオレフィン類およびガラス繊維からなる群から選択された材料製である請求項１３に記載の複合糸。
【請求項２２】
ａ）ｉ）耐切断性材料製の第一非金属ストランド、および
ii）ガラス繊維製の第二非金属ストランドを含み、そして
前記第一ストランドと第二ストランドが、これらストランドの全長にそって間欠的な箇所で、空気によって互いに交絡され、これらストランドの少なくとも一方がマルチフィラメントのストランドであるコア糸；ならびに
ｂ）前記コア糸のまわりに特定の方向に巻き付けられた第一カバー糸；
からなる耐切断性複合糸。
【請求項２３】
前記第一ストランドが、超高分子量ポリエチレン、アラミド類および高強度液晶重合体類からなる群から選択された材料製である請求項２２に記載の複合糸。
【請求項２４】
前記カバー糸が、超高分子量ポリエチレン、アラミド類、高強度液晶重合体類、ポリエステル類、ナイロン、アセテート、レーヨン、綿、ポリオレフィン類およびガラス繊維からなる群から選択された材料製である請求項２２に記載の複合糸。
【請求項２５】
前記コア糸のまわりに、前記第一カバー糸と逆の方向に巻き付けられた第二カバー糸をさらに含んでいる請求項２２に記載の複合糸。
【請求項２６】
前記第二カバー糸が、超高分子量ポリエチレン、アラミド類、高強度液晶重合体類、ポリエステル、ナイロン、アセテート、レーヨン、綿、ポリオレフィン類およびガラス繊維からなる群から選択された材料製である請求項２２に記載の複合糸。
【請求項２７】
ａ）耐切断性材料製の第一非金属ストランドを、非耐切断性材料製またはガラス繊維製の第二非金属ストランドに隣接して配置し、これらストランドの少なくとも一方がマルチフィラメント材料製であり；次いで
ｂ）エアジェットを、前記ストランドに対して、間欠的な箇所に衝突させ、前記ストランドを交絡させて結合糸を製造する；
ことを含んでなる耐切断性糸を製造する方法。
【請求項２８】
前記第一ストランドが、超高分子量ポリエチレン、アラミド類および高強度液晶重合体類からなる群から選択された材料製である請求項２７に記載の方法。
【請求項２９】
前記第二ストランドが、ポリエステル、ナイロン、アセテート、レーヨン、綿およびポリオレフィン類からなる群から選択された材料製である請求項２７に記載の方法。
【請求項３０】
前記間欠的な箇所が、約０．１２５〜約１．０００インチの間隔で隔っている請求項２７に記載の方法。
【請求項３１】
第一カバー糸を、前記結合糸のまわりに第一方向に巻き付けるステップをさらに含んでいる請求項２７に記載の方法。
【請求項３２】
前記第一カバー糸が、超高分子量ポリエチレン、アラミド類、高強度液晶重合体類、ポリエステル、ナイロン、アセテート、レーヨン、綿、ポリオレフィン類およびガラス繊維からなる群から選択された材料製である請求項２７に記載の方法。
【請求項３３】
第二カバー糸を、前記結合糸のまわりに、前記第一カバー糸と逆の方向に巻き付けるステップをさらに含んでいる請求項３１に記載の方法。
【請求項３４】
前記第二カバー糸が、超高分子量ポリエチレン、アラミド類、高強度液晶重合体類、ポリエステル、ナイロン、アセテート、レーヨン、綿、ポリオレフィン類およびガラス繊維からなる群から選択された材料製である請求項３３に記載の方法。
【請求項３５】
ａ）耐切断性材料製の第一非金属ストランド、および
ｂ）非耐切断性材料製またはガラス繊維製の第二非金属ストランド、
からなり、そして前記第一ストランドと第二ストランドが、これらストランドの全長にそって間欠的な箇所で、空気によって互いに交絡され、これらストランドの少なくとも一方がマルチフィラメントのストランドである結合糸によって製造された耐切断性衣類。
【請求項３６】
前記第二ストランドがガラス繊維であり、そして前記結合糸が、前記第一ストランドおよび第二ストランドと空気で交絡されたガラス繊維製の第三ストランドをさらに含んでいる請求項３５に記載の衣類。
【請求項３７】
前記第一ストランドが、超高分子量ポリエチレン、アラミド類および高強度液晶重合体類からなる群から選択された材料製である請求項３５に記載の衣類。
【請求項３８】
前記第二ストランドが、ポリエステル、ナイロン、アセテート、レーヨンおよび綿からなる群から選択された材料製である請求項３５に記載の衣類。
【請求項３９】
前記間欠的な箇所が、約０．１２５〜約１．０００インチの間隔で隔っている請求項３５に記載の衣類。
【請求項４０】
前記第一ストランドと第二ストランドが各々、約７０〜約１２００デニールである請求項３５に記載の衣類。
【請求項４１】
前記衣類が手袋である請求項３５に記載の衣類。
【請求項４２】
耐切断性複合糸を製造するため、他の糸ストランドと組み合わせて使用する非金属のマルチパート糸成分であって；
ａ．耐切断性材料からなる少なくとも一つのストランド、
ｂ．少なくとも一つのガラス繊維ストランド、および
ｃ．少なくとも一つの追加の非ガラス繊維ストランド、を含んでなり、
ｄ．前記少なくとも一つの耐切断性ストランド、前記少なくとも一つのガラス繊維ストランドおよび前記少なくとも一つの追加の非ガラス繊維ストランドが、空気によって互いに交絡されて単一の結合ストランドを形成し、そして
ｅ．前記耐切断性ストランドまたはガラス繊維ストランドの一方または他方がマルチフィラメントのストランドである、非金属のマルチパート糸成分。
【請求項４３】
前記単一の結合ストランドのまわりに第一方向に巻き付けられた第一カバーストランドをさらに含んでいる請求項４２に記載の糸成分。
【請求項４４】
前記単一の結合ストランドのまわりに、第一方向と逆の第二方向に巻き付けられた第二カバーストランドをさらに含んでいる請求項４３に記載の糸成分。
【請求項４５】
前記少なくとも一つの追加の非ガラス繊維ストランドが紡績糸からなる請求項４２に記載の糸成分。
【請求項４６】
前記少なくとも一つの追加の非ガラス繊維ストランドが、加工されたマルチフィラメント糸からなる請求項４２に記載の糸成分。
【請求項４７】
前記耐切断性ストランドが約７０〜約１２００デニールである請求項４２に記載の糸成分。
【請求項４８】
前記耐切断性ストランドが約２００〜約７００デニールである請求項４２に記載の糸成分。
【請求項４９】
前記ガラス繊維ストランドが約１００〜約１２００デニールである請求項４２に記載の糸成分。
【請求項５０】
前記ガラス繊維ストランドが約１００〜３００デニールである請求項４２に記載の糸成分。
【請求項５１】
前記非耐切断性材料がポリエステル、ナイロン、アセテート、レーヨン、綿およびポリエステル−綿混合物からなる群から選択された材料からなる請求項４２に記載の糸成分。
【請求項５２】
前記耐切断性材料が、超高分子量ポリエチレン、アラミドおよび液晶重合体からなる群から選択された材料からなる請求項４２に記載の糸成分。
【請求項５３】
耐切断性複合糸を製造するため他の糸ストランドと組み合わせて使用する非金属のマルチパート糸成分であって；
ａ．耐切断性材料からなる少なくとも一つのストランド、および
ｂ．少なくとも一つの非ガラス繊維ストランド、を含んでなり、
ｃ．前記少なくとも一つの耐切断性ストランドおよび前記少なくとも一つの非ガラス繊維ストランドが互いに空気によって交絡されて単一の結合ストランドを形成し、そして
ｄ．前記耐切断性ストランドまたは非ガラス繊維ストランドの一方または他方がマルチフィラメントのストランドである、非金属のマルチパート糸成分。
【請求項５４】
前記単一の結合ストランドのまわりに、第一方向に巻き付けられた第一カバーストランドをさらに含んでいる請求項５３に記載の糸成分。
【請求項５５】
前記単一の結合ストランドのまわりに、第一方向と逆の第二方向に巻き付けられた第二カバーストランドをさらに含んでいる請求項５４に記載の糸成分。
【請求項５６】
前記少なくとも一つの非ガラス繊維ストランドが紡績糸からなる請求項４２に記載の糸成分。
【請求項５７】
前記耐切断性ストランドが約７０〜約１２００デニールである請求項５３に記載の糸成分。
【請求項５８】
前記耐切断性ストランドが約２００〜約７００デニールである請求項５３に記載の糸成分。
【請求項５９】
前記非耐切断性ストランドが約７０〜約１２００デニールである請求項５３に記載の糸成分。
【請求項６０】
前記非耐切断性ストランドが約１４０〜約３００デニールである請求項５３に記載の糸成分。
【請求項６１】
前記非耐切断性材料が、ポリエステル、ナイロン、アセテート、レーヨン、綿およびポリエステル−綿混合物からなる群から選択された材料からなる請求項５３に記載の糸成分。
【請求項６２】
前記耐切断性材料が、超高分子量ポリエチレン、アラミドおよび液晶重合体からなる群から選択された材料からなる請求項５３に記載の糸成分。
【請求項６３】
ａ．ｉ．耐切断性材料からなり約７０〜１２００デニールであるストランド、および
ii．非耐切断性材料からなり約７０〜１２００デニールであるストランド、を含み、
iii.前記耐切断性ストランドおよび非耐切断性ストランドが互いに空気によって交絡されてこれらストランドの全長にそって間欠的に結合箇所を形成しかつこれらストランドの少なくとも一方がマルチフィラメントのストランドである、マルチパート第一コアストランド；
ｂ．前記マルチパート第一コアストランドのまわりに第一方向に巻き付けられた少なくとも一つのカバーストランド；
を含んでなる非金属の耐切断性複合糸。
【請求項６４】
前記マルチパート第一コアストランドにそって第二コアストランドをさらに含んでなる請求項６３に記載の複合糸。
【請求項６５】
前記耐切断性ストランドが約２００〜７００デニールである請求項６３に記載の複合糸。
【請求項６６】
前記非耐切断性ストランドが約１４０〜３００デニールである請求項６３に記載の複合糸。
【請求項６７】
耐切断性材料からなる前記ストランドが、超高分子量ポリエチレン、アラミド類および高強度液晶重合体類からなる群から選択された材料からなる請求項６３に記載の複合糸。
【請求項６８】
前記非耐切断性ストランドが、ポリエステル、綿、ポリエステル−綿混合物、ナイロン、アセテートおよびレーヨンからなる群から選択された材料からなる請求項６３に記載の複合糸。
【請求項６９】
前記少なくとも一つのカバーストランドが、高分子量ポリエチレン、アラミド類、液晶重合体類、ポリエステル、綿、ポリエステル−綿混合物、ナイロン、アセテートおよびレーヨンからなる群から選択された材料からなる請求項６３に記載の複合糸。
【請求項７０】
前記少なくとも一つのカバーストランドが、前記空気で交絡された耐切断性ストランドと非耐切断性ストランドのまわりに、１インチ当たり約３〜１６回巻き付けられている請求項６３に記載の複合糸。
【請求項７１】
前記少なくとも一つのカバーストランドが、前記空気で交絡された耐切断性ストランドと非耐切断性ストランドのまわりに、１インチ当たり約８〜１４回巻き付けられている請求項６３に記載の複合糸。
【請求項７２】
前記第一カバーストランドのまわりに、第一カバーストランドと逆の第二方向に巻き付けられた第二カバーストランドをさらに含んでいる請求項６３に記載の複合糸。
【請求項７３】
前記第二カバーストランドが、伸張連鎖ポリエチレン、アラミド類、液晶重合体類、ポリエステル、綿、ポリエステル−綿混合物、ナイロン、アセテートおよびレーヨンからなる群から選択された材料からなる請求項７２に記載の複合糸。
【請求項７４】
前記第二カバーストランドが、前記少なくとも一つのカバーストランドのまわりに、１インチ当たり約３〜１６回、巻き付けられている請求項７２に記載の複合糸。
【請求項７５】
前記第二カバーストランドが、前記少なくとも一つのカバーストランドのまわりに、１インチ当たり約８〜１４回、巻き付けられている請求項７２に記載の複合糸。
【請求項７６】
非金属の耐切断性複合糸の製造方法であって；
ａ．（ｉ）本来、耐切断性の材料からなる少なくとも一つの非金属ストランド、
（ii）少なくとも一つのガラス繊維ストランド、および
(iii)非耐切断性材料からなる少なくとも一つの非ガラス繊維ストランド、
を含む複数の糸ストランドを、糸を空気で交絡する装置に、送り、次いで
ｂ．前記複数の糸ストランドを空気で交絡して、前記ストランドの全長にそって間欠的に結合箇所を形成する、ことを含んでなり；
ｃ．前記複数の糸ストランドの少なくとも一つがマルチフィラメントストランドである；非金属の耐切断性複合糸の製造方法。